(57)【要約】      （修正有）【課題】高齢者や身障者等において背中が曲がっていて前かがみの姿勢の患者を歯科治療椅子に着座させた場合に、枕支え板を如何様に変化させ、かつ、枕を枕支え板に対して如何様に変化させても枕の頭支持部が患者の頭部に届かず安定した姿勢での治療ができる歯科治療椅子を提供する。【解決手段】昇降可能な座部と、該座部に対して起伏可能な背凭れＢ１と、該背凭れ背面側を上下動し背凭れの上部から突出され、着座あるいは仰臥している患者の頭部側に向かって湾曲された枕支え板６と、前記背凭れの背面内に収納され前記枕支え板を上下動させるための枕角度シリンダ５と、該枕角度シリンダを上下動させるための枕昇降シリンダ４と、前記枕支え板と枕との間に取付けられ枕支え板および枕に対して所望回転位置で固定可能とする２軸構造の枕回動装置８とから構成した歯科治療椅子の枕装置である。【選択図】        図１
2008113761.tif 000002
【特許請求の範囲】
【請求項１】
昇降可能な座部と、
該座部に対して起伏可能な背凭れと、
該背凭れ背面側を上下動し背凭れの上部から突出され、着座あるいは仰臥している患者の頭部側に向かって湾曲された枕支え板と、
前記背凭れの背面内に収納され前記枕支え板を上下動させるための枕角度シリンダと、
該枕角度シリンダを上下動させるための枕昇降シリンダと、
前記枕支え板と枕との間に取付けられ枕支え板および枕に対して所望回転位置で固定可能とする２軸構造の枕回動装置と、
から構成したことを特徴とする歯科治療椅子の枕装置。
【請求項２】
前記枕回動装置は、前記枕に取付けられた枕取付台に固定ピンを介して回動自在に取付けられ、また、前記枕支え板に固定ピンを介して回動自在に取付けられ、前記２つの固定ピンに対して回転自在に軸支された把持部材と、該把持部材の前記固定ピンに形成されたリング状に配置された多数のピン穴に対して前記把持部材に収納されたバネ付勢されたピンと、該ピンを前記バネ力に抗して前記ピン穴より後退させる把持操作板とより構成したことを特徴する請求項１記載の歯科治療椅子の枕装置。
【発明の詳細な説明】
【技術分野】
【０００１】
本発明は、女性や子供等の身長の低い患者や身長の高い患者および高齢者や身障者のように背中が曲がっている患者等の如何なる人であっても、診療時に頭部を正確に保持することができる歯科治療椅子の枕装置に関する。
【背景技術】
【０００２】
従来におけるこの種の枕装置としては、本発明の出願人会社が出願した実開昭５８−４８２３１号公報に開示されている技術がある。この技術は、枕を背凭れに対して上下動させるための枕支え板が湾曲して形成されており、該枕支え板を油圧シリンダ等の駆動機構によって上昇させると枕が前記湾曲に沿って着座している患者の後頭部方向に枕を移動させ、また、下降させると枕が背凭れの上部において後傾するものである。このような構造のものにあっては、健常者であれば身長の大小に係わらず患者の頭部を最適な状態で枕で保持することが可能であった。
【特許文献１】実開昭５８−４８２３１号公報
【発明の開示】
【発明が解決しようとする課題】
【０００３】
ところで、前記した公知例の技術において、高齢者や身障者等において背中が曲がっていて前かがみの姿勢の患者を歯科治療椅子に着座させた場合に、前記した枕支え板を如何様に変化させ、かつ、枕を枕支え板に対して如何様に変化させても枕の頭支持部が患者の頭部に届かず安定した姿勢での治療ができなかった。また、施術姿勢で患者を仰臥させた場合には、頭が枕に届かないため頭が浮いた状態であるため、患者に非常な苦痛と疲労を与えるといった問題があった。
【０００４】
本発明は前記した問題点を解決せんとするもので、その目的とするところは、身長の大小、かつ、背中が曲がった変形姿勢の如何にかかわらず、着座状態での治療および仰臥状態での治療においても患者の頭部を保持して、安楽な状態での治療を受けさせることができる歯科治療椅子の枕装置を提供せんとするにある。
【課題を解決するための手段】
【０００５】
本発明の歯科診療椅子の枕装置は前記した目的を達成せんとするもので、請求項１の手段は、昇降可能な座部と、該座部に対して起伏可能な背凭れと、該背凭れ背面側を上下動し背凭れの上部から突出され、着座あるいは仰臥している患者の頭部側に向かって湾曲された枕支え板と、前記背凭れの背面内に収納され前記枕支え板を上下動させるための枕角度シリンダと、該枕角度シリンダを上下動させるための枕昇降シリンダと、前記枕支え板と枕との間に取付けられ枕支え板および枕に対して所望回転位置で固定可能とする２軸構造の枕回動装置とから構成したものである。
【０００６】
請求項２の手段は、前記した請求項１において、前記枕回動装置は、前記枕に取付けられた枕取付台に固定ピンを介して回動自在に取付けられ、また、前記枕支え板に固定ピンを介して回動自在に取付けられ、前記２つの固定ピンに対して回転自在に軸支された把持部材と、該把持部材の前記固定ピンに形成されたリング状に配置された多数のピン穴に対して前記把持部材に収納されたバネ付勢されたピンと、該ピンを前記バネ力に抗して前記ピン穴より後退させる把持操作板とより構成したことを特徴する。
【発明の効果】
【０００７】
本発明は前記したように、湾曲した枕支え板の先端を枕角度シリンダによって患者の頭部側に向かって移動させ、該枕支え板に回転自在で、かつ、所望回転位置で固定できる２軸構造の枕回動装置の先端に枕を取付けたので、枕支え板に対して枕回動装置は所望回転位置で固定でき、かつ、枕は枕回動装置に対して所望回転位置で固定できるので、健常者の身長差の相違および背中が曲がっている高齢者等の全ての患者の座部に着座している状態および仰臥状態で診療を受ける体勢の何れにおいても確実に患者の頭部を保持でき、また、枕角度シリンダをさらに上下動させる枕昇降シリンダによって上下動するようにしたので、如何なる体形の患者であってもより確実に頭部を保持することができる等の効果を有するものである。
【発明を実施するための最良の形態】
【０００８】
本発明は、湾曲した枕支え板の先端を枕角度シリンダによって患者の頭部側に向かって移動させ、該枕支え板の先端に回転自在で、かつ、所望角度位置で固定される枕回動装置の先端に枕を取付けた。
【実施例１】
【０００９】
以下、本発明に係る歯科治療椅子の枕装置の一実施例を図面と共に説明する。
図１は本発明の枕装置Ａの要部を示し、この枕装置Ａは図２、図３に示す歯科治療椅子Ｂの背凭れＢ１に装備されている。歯科治療椅子Ｂは、患者が着座するための座部Ｂ２と、該座部Ｂ２を昇降するための昇降手段Ｂ３と、前記座部Ｂ２の前方に取付けられ前記背凭れＢ１を伏倒しベッド状とした時に患者の下肢を保持する前垂れＢ４とより構成されている。なお、以上の構成は公知の歯科治療椅子は公知の構造である。
【００１０】
次に、枕装置の詳細を図１と共に説明するに、背凭れＢ１の背面に取付けられている背板１に一部において角筒部２ａが形成されたスライド受け板２にして、このスライド受け板２に角筒状のスライド筒３が上下動自在にガイドされている。また、前記スライド受け板２の下端にはブラケット２ｂが形成されており、該ブラケット２ｂに枕昇降シリンダ４のピストン４ａ側がロットピン２ｃによって軸支され、枕昇降シリンダ４のラム４ｂの先端は前記スライド筒３に軸支されると共に、該スライド筒３内に収納されている枕角度シリンダ５のピストン５ａ側が一体的にロットピン４ｃによって軸支されている。従って、枕昇降シリンダ４内に油が供給されてラム４ａが突出するとスライド筒３が背凭れＢ１の背面において上昇し、油が排出されると下降することになる。
【００１１】
前記スライド筒３の上端は背凭れＢ１の前面側に向かって傾斜され、後述する枕支え板６をガイドするための４つのガイドピン３を有する支え板ガイド部３ａが取付けられている。枕支え板６は側面形状において湾曲されており、下端側が前記支え板ガイド部３ａにガイドされ、下端が前記枕角度シリンダ５のラム５ｂの先端とロットピン５ｃによって軸支されている。なお、従って、枕角度シリンダ５に油が供給されてラム５ｂが突出されると枕支え板６の上端は支え板ガイド部３ａから突出して背凭れＢ１の前面側上方に移動し、油が排出されるとスライド筒３内に戻されることになる。なお、７は前記したスライド筒３、枕昇降シリンダ４および枕角度シリンダ５を覆うためのカバーである。
【００１２】
以上のように枕昇降シリンダ４のラム４ｂが上昇するとスライド筒３が上昇するので、枕角度シリンダ５が上昇し、この上昇した位置においてラム５ｂが上昇すると、枕支え板６の上端は高い位置からさらに前方に向かって突出することになる。従って、枕支え板６に後述する２関節機構８を介して取付けられる枕９は図２の状態から図３の状態に変化するので、枕９は高い位置で、かつ、前方に相当量突出することになる。
【００１３】
次に、２関節機構の枕回動装置８の詳細を図４、図５と共に説明する。
８１は前記枕９に一端が固定された二股状の枕取付台９ａにおける前記二股部分に固定されたボルト状の固定ピンにして、この固定ピン８１の頭部内側には複数個のピン挿入穴８１ａが形成されている。８２は前記枕支え板６の上端二股部分に固定された前記固定ピン８１と同じ固定ピンにして、頭部内側には複数個のピン挿入穴８２ａが形成されている。
【００１４】
８３は両端が前記固定ピン８１，８２に対して回転自在に軸支される軸部８３ａが形成された把持部材にして、該軸部８３ａには複数本（図示のものでは図１で示すように４本）のピン８４が挿入されると共にスプリング８４ａによってピン挿入穴８１ａ側に向かってバネ付勢されている。８５，８６は前記把持部材８３に対してネジ挿通孔８３ｂを貫通したネジ８５ａによって固定された把持固定操作板と固定板にして、該固定板８６と把持部材８３との間には移動可能にロック板８７が配置され、このロック板８７の両端は前記ピン８４に形成された溝８４ｂが係合されている。８８は前記ロック板８７にネジ８７ａによって一体化された把持操作板にして、該把持操作板８８と前記把持固定操作板８５とを操作する者が手で握ることで前記ロック板８７を前記スプリング８４ａのバネ力に抗して図４において左方向に移動する。これにより、ピン８４は同図において左方向に移動してピン挿入孔８１ａより抜け出るように構成されている。
【００１５】
このように構成した２関節機構の枕回動装置８の動作は、図４の状態（ピン８４がピン挿入孔８１ａに挿入されている状態、すなわち、ロック状態）において、把持固定板８５と把持操作板８８をスプリング８４ａのバネ力に抗して握ると、該把持操作板８８はロック板８７が移動してピン８４をピン挿入孔８１ａより抜け出る方向に移動させる。これにより、枕支え板６に対して枕回動装置８は回転可能となり、また、枕９は枕回動装置８に対して回動可能となる。これにより、枕９は枕支え板６に対して色々の角度位置に変位することがでる。
【００１６】
そして、医者やアシスタントが枕９の位置が所望の位置と判断して把持固定板８５と把持操作板８８とから手を離すとスプリング８４ａのバネ力によって把持操作板８８が戻るのでピン８４が固定ピン８１に形成されている何れかのピン挿入穴８１ａに入り込みロック状態となり、枕を前記所望の位置に固定した状態で保持できることとなる。なお、ピン８４を複数本としたのは、多数形成されたピン挿入穴８１ａの何れか１つに複数本のピン８４の１つが挿入されるので、ピン挿入穴８１のピッチ数よりも小さなピッチで固定できるためである。この場合、複数のピン８４ａのピッチは等間隔でなくずれたピッチとする必要がある。
【００１７】
前記した如く構成した枕装置にあっては、歯科治療椅子Ｂ４に着座している患者が身長の低い場合には、図６に示す如く枕昇降シリンダ４のラム４ｂを伸長させ、かつ、枕角度シリンダ５のラム５ｂを収納して枕９を最下降位置まで下降させる。次いで、枕回動装置８を背凭れＢ１の前面側下方に回動すると共に枕９を背凭れＢ１の下方に垂下した状態とすることで、患者の頭部を支持することが可能となる。なお、子供のような低身長の患者の場合には、枕昇降シリンダ４のラム４ｂを収納することで、枕９の位置はさらに低い位置となる。
【００１８】
また、高齢者や身障者等の背中が曲がっている患者の場合には、背凭れＢ１と患者の背中との間に大きな隙間が発生するので、図７に示す如く枕昇降シリンダ４のラム４ｂを突出させ、かつ、枕角度シリンダ５のラム５ｂを突出させて枕９を最上方位置まで上昇させる。次いで、枕回動装置８を水平方向に回動すると共に枕９を背凭れＢ１と略平行となる状態とすることで、患者の頭部を支持することが可能となる。
【００１９】
なお、図示していないが、身長が高い患者の場合には、枕昇降シリンダ４のラム４ｂのみを伸長させ、あるいは、枕角度シリンダ５も伸長させると共に枕回動装置８を背凭れＢ１の延長上となるようにし、かつ、枕９も同様にすることで患者の頭部を支持することが可能となる。
【００２０】
次に、治療等により患者を仰臥姿勢とする場合には、背凭れＢ１を伏倒すると共に前垂れＢ４を水平状態となす。この状態において、低身長者の場合には、前記した着座姿勢と同様な操作を行うことで図８に示すように患者の頭部を枕９で支持することが可能となる。また、高身長者の場合には、図９に示すように枕回動装置８を背凭れＢ１の上方に回動し枕９を枕回動装置８側に回動することで患者の頭部を枕９で支持することが可能となる。なお、高齢者や身障者等の背中が曲がっている患者の場合には、仰臥姿勢での治療は困難であることから、座位の状態で治療を行うのが一般的である。
【図面の簡単な説明】
【００２１】
【図１】本発明に係る歯科治療椅子の枕装置の断面図である。
【図２】枕支え板を移動した状態での枕の動きを示した側面図である。
【図３】枕支え板と枕回動装置を回動した状態での枕の動きを示した側面図である。
【図４】枕回動装置のロック状態を示す断面図である。
【図５】同上の非ロック状態を示す断面図である。
【図６】背骨が曲がっている患者の着座状態を示す側面図である。
【図７】子供等の背の低い患者の着座状態を示す側面図である。
【図８】子供等の背の低い患者の仰臥状態を示す側面図である。
【図９】背の高い患者の仰臥状態を示す側面図である。
【符号の説明】
【００２２】
Ｂ          歯科治療椅子
Ｂ１        背凭れ
Ｂ２        座部
４          枕昇降シリンダ
５          枕角度シリンダ
６          枕支え板
８          枕角度装置
９          枕
【図１】
2008113761.tif 000003
【図２】
2008113761.tif 000004
【図３】
2008113761.tif 000005
【図４】
2008113761.tif 000006
【図５】
2008113761.tif 000007
【図６】
2008113761.tif 000008
【図７】
2008113761.tif 000009
【図８】
2008113761.tif 000010
【図９】
2008113761.tif 000011